(57)【特許請求の範囲】
【請求項１】
軸方向一方側の端部に固定溝を備えるシャフトと、
前記固定溝に挿入される固定部、前記固定部から半径方向外側に延長する円板部、及び前記円板部から軸方向他方側に延長する延長部を備えるスラスト部材と、
前記延長部と結合するベース部材と、
前記シャフトと軸受間隙を形成し、前記シャフトに対して回転可能に備えられる回転部材と、
前記延長部の前記軸方向他方側の面と前記回転部材との間に備えられる第１シール部と、
前記ベース部材の内周面と前記回転部材の外周面との間に備えられる第２シール部と、  を含む、スピンドルモータ。
【請求項２】
前記第１シール部は、半径方向内側に向かって前記軸方向他方側の向きに傾斜する、請求項１に記載のスピンドルモータ。
【請求項３】
前記延長部の前記軸方向他方側の面及び前記延長部の前記軸方向他方側の面に対向配置される前記回転部材の対向面のうち少なくとも一つは半径方向内側に向かって前記軸方向他方側の向きに傾斜する、請求項１または２に記載のスピンドルモータ。
【請求項４】
前記延長部の内周面と前記回転部材の外周面との間には第１気液界面が形成される、請求項１から３の何れか１項に記載のスピンドルモータ。
【請求項５】
前記第１気液界面の前記軸方向他方側には第１空間部が備えられる、請求項４に記載のスピンドルモータ。
【請求項６】
前記第１空間部は前記軸方向他方側に向かって広くなる、請求項５に記載のスピンドルモータ。
【請求項７】
前記第１シール部と前記第２シール部が接する部分には第２空間部が形成される、請求項５または６に記載のスピンドルモータ。
【請求項８】
前記第２空間部の体積は前記第１空間部の体積より小さい、請求項７に記載のスピンドルモータ。
【請求項９】
前記延長部の前記軸方向他方側の面の半径方向外側端には前記軸方向一方側に陥入して形成される段差部が備えられる、請求項１から８の何れか１項に記載のスピンドルモータ。
【請求項１０】
前記ベース部材は、本体部と、前記本体部から前記軸方向他方側に延長する結合部と、を備え、前記結合部が前記延長部と結合する、請求項１から９の何れか１項に記載のスピンドルモータ。
【請求項１１】
前記結合部の内周面と前記回転部材との間には第２シール部が形成される、請求項１０に記載のスピンドルモータ。
【請求項１２】
前記結合部の内周面に対向配置される前記回転部材の対向面は前記延長部の外周面より半径方向内側に位置する、請求項１０または１１に記載のスピンドルモータ。
【請求項１３】
前記結合部の前記軸方向他方側の面は前記延長部の前記軸方向他方側の面より前記軸方向他方側に位置する、請求項１０から１２の何れか１項に記載のスピンドルモータ。
【請求項１４】
前記シャフトの前記軸方向他方側の端部には半径方向外側に延長するフランジ部が備えられ、前記フランジ部の外周面及び前記フランジ部の外周面に対向配置される前記回転部材の対向面には第２気液界面が形成される、請求項１から１３の何れか１項に記載のスピンドルモータ。
【請求項１５】
前記フランジ部の外周面及び前記フランジ部の外周面に対向配置される前記回転部材の対向面のうち少なくとも一つはテーパ状に形成される、請求項１４に記載のスピンドルモータ。
【請求項１６】
前記フランジ部の前記軸方向他方側の面及び前記回転部材の前記軸方向他方側の面のうち何れか一つに固定され、潤滑流体の漏れを防止するカバー部をさらに含む、請求項１４または１５に記載のスピンドルモータ。
【請求項１７】
前記回転部材は、前記シャフトと、前記スラスト部材との間に軸受間隙を形成するスリーブと、前記スリーブから延長形成されるロータハブと、を備える、請求項１から１６の何れか１項に記載のスピンドルモータ。
【請求項１８】
基板を介して印加される電源によりディスクを回転させる請求項１〜１７の何れか一項に記載のスピンドルモータと、
前記ディスクのデータを記録及び再生するための磁気ヘッドと、
前記磁気ヘッドを前記ディスク上の所定の位置に移動させるためのヘッド駆動部と、を含む、ハードディスクドライブ。
【発明の詳細な説明】
【技術分野】
【０００１】
本発明は、スピンドルモータ及びハードディスクドライブに関する。
【背景技術】
【０００２】
ハードディスク（ｈａｒｄ  ｄｉｓｋ）駆動装置などの情報記録再生装置には、耐振動性に優れた軸をハードディスク（ｈａｒｄ  ｄｉｓｋ）駆動装置のボックスに固定したいわゆる軸固定型のスピンドルモータを搭載することができる。
【０００３】
即ち、ハードディスク駆動装置に搭載されるスピンドルモータは、記録されている情報が外部衝撃によって破損されたり、記録／読み取りできない状態になることを防止するために、シャフトが固設される構造を有することができる。
【０００４】
一方、ハードディスク駆動装置に用いられるスピンドルモータには高い信頼性が要求されるため、固定型シャフトを備える流体動圧軸受アセンブリに充填される潤滑流体の充填量を維持する必要がある。
【０００５】
上記潤滑流体が、外部衝撃または振動などにより、気体と成って気液界面を離脱して外部に漏れる場合、スピンドルモータの回転特性が低下する可能性があり、潤滑流体の不足により、軸受間隙を形成する回転部材と固定部材が摩耗される恐れがある。
【０００６】
従って、潤滑流体が外部に漏れることを防止することができる構造を開発する必要がある。
【発明の概要】
【発明が解決しようとする課題】
【０００７】
本発明の一実施例による目的は、ラビリンスシール効果を極大化して外部異物の流入及び潤滑流体の漏れを防止することができるスピンドルモータ及びこれを含むハードディスクドライブを提供することにある。
【０００８】
また、本発明の目的は、モータの性能を向上し、モータの寿命を延長することができるスピンドルモータ及びこれを含むハードディスクドライブを提供することにある。
【課題を解決するための手段】
【０００９】
本発明の一実施例によるスピンドルモータは、下部に固定溝を備えるシャフトと、上記固定溝に挿入される固定部、上記固定部から半径方向外側に延長する円板部、及び上記円板部から軸方向に延長する延長部を備える下部スラスト部材と、上記延長部と結合するベース部材と、上記シャフトと軸受間隙を形成し、上記シャフトに対して回転可能に備えられる回転部材と、上記延長部の上面と上記回転部材との間に備えられる第１シール部と、上記ベース部材の内周面と上記回転部材の外周面との間に備えられる第２シール部と、を含むことができる。
【００１０】
本発明の一実施例によるスピンドルモータの上記第１シール部は、半径方向内側に向かって上向きに傾斜することができる。
【００１１】
本発明の一実施例によるスピンドルモータの上記延長部の上面及び上記延長部の上面に対向配置される上記回転部材の対向面のうち少なくとも一つは半径方向内側に向かって上向きに傾斜することができる。
【００１２】
本発明の一実施例によるスピンドルモータの上記延長部の内周面と上記回転部材の外周面との間には第１気液界面が形成されることができる。
【００１３】
本発明の一実施例によるスピンドルモータの上記第１気液界面の軸方向上側には第１空間部が備えられることができる。
【００１４】
本発明の一実施例によるスピンドルモータの上記第１空間部は軸方向上側に向かって広くなることができる。
【００１５】
本発明の一実施例によるスピンドルモータの上記第１シール部と上記第２シール部が接する部分には第２空間部が形成されることができる。
【００１６】
本発明の一実施例によるスピンドルモータの上記第２空間部の体積は上記第１空間部の体積より小さいことがある。
【００１７】
本発明の一実施例によるスピンドルモータの上記延長部の上面の半径方向外側端には軸方向下側に陥入して形成される段差部が備えられることができる。
【００１８】
本発明の一実施例によるスピンドルモータの上記ベース部材は、本体部と、上記本体部から軸方向上側に延長する結合部と、を備え、上記結合部が上記延長部と結合することができる。
【００１９】
本発明の一実施例によるスピンドルモータの上記結合部の内周面と上記回転部材との間には第２シール部が形成されることができる。
【００２０】
本発明の一実施例によるスピンドルモータの上記結合部の内周面に対向配置される上記回転部材の対向面は上記延長部の外周面より半径方向内側に位置することができる。
【００２１】
本発明の一実施例によるスピンドルモータの上記結合部の上面は上記延長部の上面より軸方向上側に位置することができる。
【００２２】
本発明の一実施例によるスピンドルモータの上記シャフトの上部には半径方向外側に延長するフランジ部が備えられ、上記フランジ部の外周面及び上記フランジ部の外周面に対向配置される上記回転部材の対向面には第２気液界面が形成されることができる。
【００２３】
本発明の一実施例によるスピンドルモータの上記フランジ部の外周面及び上記フランジ部の外周面に対向配置される上記回転部材の対向面のうち少なくとも一つはテーパ状に形成されることができる。
【００２４】
本発明の一実施例によるスピンドルモータは、上記フランジ部の上面及び上記回転部材の上面のうち何れか一つに固定され、潤滑流体の漏れを防止するカバー部をさらに含むことができる。
【００２５】
本発明の一実施例によるスピンドルモータの上記回転部材は、上記シャフトと、上記下部スラスト部材との間に軸受間隙を形成するスリーブと、上記スリーブから延長形成されるロータハブと、を備えることができる。
【００２６】
本発明の一実施例によるハードディスクドライブは、基板を介して印加される電源によりディスクを回転させる請求項１〜１７の何れか一項に記載のスピンドルモータと、上記ディスクのデータを記録及び再生するための磁気ヘッドと、上記磁気ヘッドを上記ディスク上の所定の位置に移動させるためのヘッド駆動部と、を含むことができる。
【発明の効果】
【００２７】
本発明によるスピンドルモータ及びこれを含むハードディスクドライブによると、ラビリンスシール効果を極大化して外部異物の流入及び潤滑流体の漏れを防止することができる。
【００２８】
また、モータの性能を向上し、寿命を延長することができる。
【図面の簡単な説明】
【００２９】
【図１】本発明の一実施例によるスピンドルモータの概略断面図である。
【図２】図１のＡ部分の拡大断面図である。
【図３】図２のＢ部分の拡大断面図である。
【図４】本発明の一実施例によるシャフト、回転部材、下部スラスト部材、及びベース部材の部分切開斜視図である。
【図５】本発明の一実施例によるモータを用いるディスク駆動装置の概略断面図である。
【発明を実施するための形態】
【００３０】
以下、図面を参照して本発明の具体的な実施例を詳細に説明する。但し、本発明の思想は提示される実施例に制限されず、本発明の思想を理解する当業者は同一の思想の範囲内で他の構成要素の追加、変更、削除等によって、退歩的な他の発明や本発明の思想の範囲内に含まれる他の実施例を容易に提案することができ、これも本発明の思想の範囲内に含まれる。
【００３１】
また、各実施例の図面に示す同一の思想の範囲内における機能が同一の構成要素は、同一の参照符号を用いて説明する。
【００３２】
先ず、方向に対する用語を定義すると、軸方向は図１を参照して、シャフトを基準として上下方向を意味し、半径方向外側方向又は半径方向内側方向は上記シャフトを基準としてロータハブの外周面に向かう方向又は上記ロータハブの外周面からシャフトの中心に向かう方向を意味する。
【００３３】
図１は本発明の一実施例によるスピンドルモータの概略断面図であり、図２は図１のＡ部分の拡大断面図であり、図３は図２のＢ部分の拡大断面図である。
【００３４】
また、図４は本発明の一実施例によるシャフト、回転部材、下部スラスト部材及びベース部材の部分切開斜視図である。
【００３５】
図１から図４を参照すると、本発明の一実施例によるスピンドルモータ６００は、シャフト１１０、下部スラスト部材１２０、及びベース部材３３０を含む固定部材と、回転部材２００と、第１シール部４００と、第２シール部５００と、を含んでなることができる。下部スラスト部材１２０はスラスト部材の一例であってよい。
【００３６】
ここで、上記シャフト１１０及び下部スラスト部材１２０は、ベース部材３３０と共に固定部材を構成することができる。
【００３７】
即ち、上記ベース部材３３０は、回転部材２００の回転を支持する固定部材であることができる。
【００３８】
ここで、上記ベース部材３３０は、上記回転部材２００と共に所定空間を形成することができ、上記空間にはコイル３１０が巻線されるコア３２０が配置されることができる。
【００３９】
具体的に、上記ベース部材３３０は、本体部３３１と、上記本体部３３１から軸方向上側に延長する結合部３３３と、を備えることができ、上記コイル３１０が巻線されるコア３２０は、上記結合部３３３の外周面に固設されることができる。
【００４０】
上記ベース部材３３０は、アルミニウム（Ａｌ）を材料として、ダイキャスティング（Ｄｉｅ−ｃａｓｔｉｎｇ）方式により製造することができ、鋼板（ｓｔｅｅｌ  ｓｈｅｅｔ）を塑性加工（例えば、プレス加工）して製造することができる。
【００４１】
上記シャフト１１０は、上記下部スラスト部材１２０を介して上記ベース部材３３０に間接的に固設されることができ、上記下部スラスト部材１２０及び上記ベース部材３３０と共に固定部材を構成することができる。
【００４２】
上記シャフト１１０は、上記下部スラスト部材１２０の一部が挿入される固定溝１１１を備えることができる。
【００４３】
即ち、上記シャフト１１０の下部には軸方向上側に陥入して形成される固定溝１１１が備えられることができ、上記固定溝１１１に上記下部スラスト部材１２０の一部が挿入固定されることができ、圧入、溶接、及びボンディングのうち少なくとも一つの方式により固設されることができる。
【００４４】
一方、上記シャフト１１０の上部には半径方向外側に延長するフランジ部１１３が備えられることができる。
【００４５】
上記フランジ部１１３は、上記回転部材２００に備えられる収容溝２１１に収容されることができ、上記回転部材２００と軸受間隙を形成することができる。
【００４６】
上記フランジ部１１３の底面には、上記回転部材２００がより安定して回転されるようにスラスト動圧を発生させるスラスト動圧部（不図示）が形成されることができる。
【００４７】
但し、これに限定されず、上記スラスト動圧部（不図示）が上記フランジ部１１３の底面に対向配置される上記回転部材２００の対向面に形成されることも可能である。
【００４８】
一方、上記フランジ部１１３の外周面と上記収容溝２１１を形成する内壁２１２との間には第２気液界面（Ｆ２）が形成されることができ、上記第２気液界面（Ｆ２）を形成するために、上記フランジ部１１３の外周面と、上記収容溝２１１を形成する内壁２１２のうち少なくとも一つはテーパ状に形成されることができる。
【００４９】
上記フランジ部１１３の上面は、カバー部１３０を固定するために段差状に形成することができる。
【００５０】
上記カバー部１３０は、上記フランジ部１１３の上面の段差状に形成された部分に固定配置されて潤滑流体の漏れ及び蒸発を抑制することができる。
【００５１】
但し、上記カバー部１３０は、上記フランジ部１１３の上面に固定配置されることに限定されず、上記回転部材２００の上面に固定配置されることも可能である。
【００５２】
上記下部スラスト部材１２０は、上記回転部材２００のスリーブ２１０と共に第１気液界面（Ｆ１）を形成することができ、上記シャフト１１０と結合して固定部材を構成することができる。
【００５３】
上記下部スラスト部材１２０は、上記固定溝１１１に挿入される固定部１２１と、上記固定部１２１から半径方向外側に延長する円板部１２３と、上記円板部１２３の端部から軸方向に延長する延長部１２５と、を備えることができる。
【００５４】
上記延長部１２５の外周面は、上記ベース部材３３０の上記結合部３３３の内周面に、溶接、ボンディング、及び圧入のうち少なくとも一つの方式により結合されることができる。
【００５５】
また、上記下部スラスト部材１２０に備えられる上記円板部１２３の上面及び上記回転部材２００に備えられる上記スリーブ２１０の底面のうち少なくとも一つには、スラスト動圧を発生させるためのスラスト動圧部（不図示）が形成されることができる。
【００５６】
即ち、上記下部スラスト部材１２０に形成される上記スラスト動圧部（不図示）により上記回転部材２００が回転するとスラスト動圧が発生するため、上記回転部材２００がより安定して回転されることができる。
【００５７】
上記回転部材２００は、上述した上記シャフト１１０と軸受間隙を維持した状態で潤滑流体を介して回転可能に設けられることができ、記録媒体を搭載することができる。
【００５８】
上記回転部材２００は、上記固定部材と軸受間隙を形成するスリーブ２１０と、上記スリーブ２１０から延長するロータハブ２２０と、を含むことができる。
【００５９】
上記スリーブ２１０と上記ロータハブ２２０の個別の部材が互いに結合して回転部材２００を構成することができるが、本発明の一実施例によるスピンドルモータ６００では、上記スリーブ２１０と上記ロータハブ２２０が一体に形成されて回転部材２００を構成することができる。
【００６０】
上記スリーブ２１０と上記ロータハブ２２０が一体に形成されて回転部材２００を構成する場合、反復的なランアウト（Ｒｅｐｅａｔａｂｌｅ  Ｒｕｎ  Ｏｕｔ；ＲＲＯ）を低減させることができ、微細振動を最小化して性能を極大化することができる。
【００６１】
上記スリーブ２１０には、上記スリーブ２１０の上部と下部を連通する少なくとも一つのバイパス流路が形成されることができる。
【００６２】
上記バイパス流路は、潤滑流体の圧力を分散して平衡を保つことができ、上記潤滑流体の内部に存在する気泡などを循環によって排出されるように移動させることができる。
【００６３】
上記スリーブ２１０は、上記シャフト１１０及び上記下部スラスト部材１２０と軸受間隙を維持した状態で上記シャフト１１０及び上記下部スラスト部材１２０と結合することができる。
【００６４】
また、上記スリーブ２１０の内周面には、上記スリーブ２１０の回転時に軸受間隙に充填した潤滑流体を介して流体動圧を発生させるためのラジアル動圧部（不図示）が形成されることができる。
【００６５】
但し、上記ラジアル動圧部（不図示）は、上記スリーブ２１０の内周面に形成されることに限定されず、上記シャフト１１０の外周面に形成されることも可能である。
【００６６】
上記スリーブ２１０は中央に貫通孔を備えて上記貫通孔に上記シャフト１１０を挿入することができ、上記スリーブ２１０の上部には、上記シャフト１１０の上記フランジ部１１３を収容するための収容溝２１１を備えることができる。
【００６７】
一方、上記回転部材２００に備えられる上記スリーブ２１０の外周面と、上記下部スラスト部材１２０に備えられる上記延長部１２５の内周面との間には第１気液界面（Ｆ１）が形成されることができる。
【００６８】
この場合、上記スリーブ２１０の外周面と、上記延長部１２５の内周面のうち少なくとも一つは、上記第１気液界面（Ｆ１）が形成されるように傾斜して形成されることができる。
【００６９】
即ち、上記第１気液界面（Ｆ１）は、上記スリーブ２１０の外周面と、上記延長部１２５の内周面との間に形成され、軸方向上側に向かうように形成されることができる。
【００７０】
また、上記第２気液界面（Ｆ２）は、上記フランジ部１１３の外周面と上記内壁２１２との間に形成されることができ、上記第１気液界面（Ｆ１）と同様に、軸方向上側に向かうように形成されることができる。
【００７１】
ここで、軸受間隙についてより詳細に説明すると、上記スリーブ２１０の内周面は、上記シャフト１１０の外周面と所定間隔離隔して軸受間隙を形成し、上記スリーブ２１０の上面と上記フランジ部１１３、上記スリーブ２１０の底面と上記下部スラスト部材１２０もまた所定間隔離隔して軸受間隙を形成することができる。
【００７２】
上記軸受間隙は互いに連結されることができ、上記軸受間隙に潤滑流体が充填されることができる。
【００７３】
一方、上記第１気液界面（Ｆ１）の上側には第１空間部１２７が形成されることができる。
【００７４】
上記第１空間部１２７は、上記スリーブ２１０の外周面と、上記延長部１２５の内周面との間に形成される空間を意味することができる。
【００７５】
即ち、上記第１空間部１２７は上記第１気液界面（Ｆ１）と接触することができる。
【００７６】
ここで、上記スリーブ２１０の外周面と、上記延長部１２５の内周面のうち少なくとも一つが傾斜して形成されることにより、上記スリーブ２１０の外周面と上記延長部１２５の内周面との間の間隙は軸方向上側に向かって広く形成され、結果、上記第１空間部１２７は軸方向上側に向かって広く形成されることができる。
【００７７】
上記ロータハブ２２０は、上記スリーブ２１０から半径方向外側に延長するハブベース２２１と、上記ハブベース２２１から軸方向に延長するマグネット支持部２２２と、を含むことができる。
【００７８】
上記マグネット支持部２２２の内周面には環状を有するマグネット２３０が装着されることができ、上記マグネット２３０は、円周方向にＮ極、Ｓ極が交互に着磁されて所定強さの磁場を発生させる永久磁石であることができる。
【００７９】
また、上記マグネット２３０は、コイル３１０が巻線されるコア３２０に対向配置され、上記コイル３１０が巻線されたコア３２０との電磁気的相互作用により上記回転部材２００を回転させるための駆動力を発生させる機能を果たす。
【００８０】
即ち、上記コイル３１０に電源が供給されると、上記コイル３１０が巻線されたコア３２０と上記マグネット２３０の電磁気的相互作用により、上記回転部材２００を回転させるための駆動力が発生する。これにより、上記回転部材２００が上記シャフト１１０を中心に回転することができる。
【００８１】
第１シール部４００は、上記延長部１２５の上面と上記回転部材２００との間に備えられることができる。
【００８２】
具体的に、上記第１シール部４００は、上記延長部１２５の上面と、上記延長部１２５の上面に対向配置される上記回転部材２００の対向面２１３との間に形成されることができる。
【００８３】
また、上記第１シール部４００は、半径方向内側に向かって上向きに傾斜して形成されることができる。
【００８４】
このために、上記延長部１２５の上面及び上記延長部１２５の上面に対向配置される上記回転部材２００の対向面２１３のうち少なくとも一つは、半径方向内側に向かって上向きに傾斜して形成されることができる。
【００８５】
上記第１シール部４００が半径方向内側に向かって上向きに傾斜して形成されることにより、上記第１シール部４００の長さを最大化することができ、シール効果を極大化することができる。
【００８６】
第２シール部５００は、上記ベース部材３３０の上記結合部３３３と、上記回転部材２００との間に備えられることができる。
【００８７】
具体的に、上記第２シール部５００は、上記結合部３３３の内周面と、上記結合部３３３の内周面に対向配置される上記回転部材２００の対向面２１５との間に形成されることができる。
【００８８】
従って、上記結合部３３３の内周面と上記回転部材２００の対向面２１５との間には上記第２シール部５００を形成するための所定の大きさを有する間隙が形成される。このために、上記結合部３３３の内周面に対向配置される上記回転部材２００の対向面２１５は、上記下部スラスト部材１２０の上記延長部１２５の外周面より半径方向内側に位置することができる。
【００８９】
上記第１シール部４００、上記第２シール部５００、及び上記第１空間部１２７は互いに接して連通することができる。
【００９０】
上記第１シール部４００及び上記第２シール部５００と上記第１空間部１２７が成している間隙を異なる大きさに形成することにより、圧力低下とエネルギー損失を誘導して外部の異物が軸受間隙に流入することを防止することができ、潤滑流体が上記第１気液界面（Ｆ１）を離脱して外部に漏れることを防止することができる。
【００９１】
即ち、上記第１シール部４００及び上記第２シール部５００によりラビリンス（Ｌａｂｙｒｉｎｔｈ）シールを形成することができる。
【００９２】
ここで、上記第１シール部４００及び上記第２シール部５００が接する部分には第２空間部１２９が形成されることができる。
【００９３】
上記延長部１２５の上面の半径方向外側端には、軸方向下側に陥入して形成される段差部１２８が備えられることができる。
【００９４】
上記段差部１２８により、上記結合部３３３の内周面と上記延長部１２５の外周面との間の間隙が広くなり、上記第２空間部１２９を形成することができる。
【００９５】
上記第１、２シール部４００、５００に比べて上記第２空間部１２９が相対的に広い間隙を有することにより圧力低下の効果を極大化することができ、結果、シール効果を向上することができる。
【００９６】
また、相対的に狭い間隙を有する上記第１、２シール部４００、５００により蒸発した潤滑流体を含有する空気が外部に流出されることを抑制して、潤滑流体が減少することを防止することができる。
【００９７】
ここで、上記第２空間部１２９の体積は、上記第１空間部１２７の体積より小さいことができる。
【００９８】
図５は本発明の一実施例によるモータを用いるディスク駆動装置の概略断面図である。
【００９９】
図５を参照すると、本発明によるモータが装着された記録ディスク駆動装置８００は、ハードディスク駆動装置であって、スピンドルモータ６００と、ヘッド駆動部８１０と、ハウジング８２０と、を含むことができる。
【０１００】
上記スピンドルモータ６００は、上述した本発明の一実施例によるスピンドルモータの特徴を全て有しており、記録ディスク８３０を搭載することができる。
【０１０１】
上記ヘッド駆動部８１０は、上記スピンドルモータ６００に搭載された記録ディスク８３０の情報を検出する磁気ヘッド８１５を、検出しようとする記録ディスクの面に移送することができる。
【０１０２】
ここで、上記磁気ヘッド８１５は、上記ヘッド駆動部８１０の支持部８１７上に配置されることができる。
【０１０３】
上記ハウジング８２０は、上記スピンドルモータ６００と上記ヘッド駆動部８１０を収容する内部空間を形成するために、モータ搭載プレート８２２と、上記モータ搭載プレート８２２の上部を遮蔽するトップカバー８２４と、を含むことができる。
【０１０４】
以上の実施例により、本発明によるスピンドルモータ及びこれを含むハードディスクドライブは、ラビリンスシール効果を極大化して外部異物の流入及び潤滑流体の漏れを防止することができ、スピンドルモータの性能を向上し、寿命を延長することができる。
【０１０５】
以上、本発明による実施例に基づいて本発明の構成及び特徴について説明したが、本発明はこれに限定されず、本発明の思想及び範囲内で多様に変更または変形することができることは、本発明が属する技術分野の当業者にとって明白なことであり、従って、このような変更または変形は添付の特許請求の範囲に属することを明らかにしておく。
【符号の説明】
【０１０６】
１１０  シャフト
１２０  下部スラスト部材
１３０  カバー部
２００  回転部材
２１０  スリーブ
２２０  ロータハブ
２２１  ハブベース
２２２  マグネット支持部
２３０  マグネット
３１０  コイル
３２０  コア
３３０  ベース部材
４００  第１シール部
５００  第２シール部
【要約】      （修正有）【課題】ラビリンスシール効果を極大化して外部異物の流入及び潤滑流体の漏れを防止することができるスピンドルモータ及びこれを含むハードディスクドライブ。【解決手段】スピンドルモータは、下部に固定溝１１１を備えるシャフト１１０と、固定溝１１１に挿入される固定部１２１、固定部１２１から半径方向外側に延長する円板部１２３、及び円板部１２３から軸方向に延長する延長部１２５を備える下部スラスト部材１２０と、延長部１２５と結合するベース部材と、シャフト１１０と軸受間隙を形成し、シャフト１１０に対して回転可能に備えられる回転部材と、延長部１２５の上面と上記回転部材との間に備えられる第１シール部４００と、上記ベース部材の内周面と上記回転部材の外周面との間に備えられる第２シール部５００と、を含む。【選択図】図２【図１】
0005459887.tif 000002
【図２】
0005459887.tif 000003
【図３】
0005459887.tif 000004
【図４】
0005459887.tif 000005
【図５】
0005459887.tif 000006